(57)【要約】【課題】本発明は、盗難防止機能に加えて、必要に応じて容易に取り外しすることも可能となされた新規な盗難防止用締結具、前記盗難防止用締結具と締結専用工具との組み合わせからなる盗難防止用締結具セット、及び前記盗難防止用締結具を緩解方向に回転操作するための緩解専用工具を提供することを目的とする。【解決手段】  ネジ本体２と、前記ネジ本体２における操作穴２２４に埋め込まれる埋め込み材３とを具備してなり、締結後に前記操作穴２２４が前記埋め込み材３にて埋められることによって、締結専用工具５が前記操作穴２２４に嵌合できない状態となされる盗難防止用締結具１において、締結作業後に、緩解専用工具１０にて、緩解方向に回転操作することができるように、前記操作穴２２４の周囲に、前記緩解専用工具１０における爪部１１が嵌合可能となされた複数の刻印２２５を設ける。【選択図】図１
2014047814.tif 000002
【特許請求の範囲】
【請求項１】
雄ネジが設けられた軸部と前記軸部の一端に存する頭部とからなるネジ本体と、
前記頭部の回転中心に設けられた操作穴に埋め込まれる埋め込み材と、
を具備してなり、
締結作業時には、前記操作穴に嵌合可能な先端形状を有する締結専用工具にて、前記ネジ本体が締結方向に回転操作された後、前記操作穴が前記埋め込み材にて埋められ、もって、前記締結専用工具が前記操作穴に嵌合できない状態となされる盗難防止用締結具であって、
締結作業後に、複数の爪部を備えた先端形状を有する緩解専用工具にて、緩解方向に回転操作することができるように、
前記頭部における前記操作穴の周囲には、前記緩解専用工具における前記爪部が各々嵌合可能となされた複数の刻印が設けられてなることを特徴とする盗難防止用締結具。
【請求項２】
請求項１に記載の盗難防止用締結具において、
前記刻印の深さが、前記操作穴の深さより浅くなされた盗難防止用締結具。
【請求項３】
請求項１又は２に記載の盗難防止用締結具において、
前記刻印の深さが、０．５〜１．０ｍｍの深さとなされた盗難防止用締結具。
【請求項４】
請求項１ないし３のいずれか１項に記載の盗難防止用締結具において、
前記刻印の溝幅が、０．５〜１．５ｍｍの範囲内となされた盗難防止用締結具。
【請求項５】
請求項１ないし４のいずれか１項に記載の盗難防止用締結具において、
前記刻印のうちの少なくとも一部によって、文字が描かれてなる盗難防止用締結具。
【請求項６】
請求項１ないし５のいずれか１項に記載の盗難防止用締結具において、
前記操作穴が、三角穴、四角穴、又は六角穴のいずれかとなされた盗難防止用締結具。
【請求項７】
請求項１ないし６のいずれか１項に記載の盗難防止用締結具と、前記締結専用工具との組み合わせからなることを特徴とする盗難防止用締結具セット。
【請求項８】
請求項１ないし６のいずれか１項に記載の盗難防止用締結具を緩解方向に回転操作するための緩解専用工具であって、
前記盗難防止用締結具に設けられた前記刻印に各々嵌合可能な複数の爪部を備えた先端形状を有してなることを特徴とする緩解専用工具。
【発明の詳細な説明】
【技術分野】
【０００１】
本発明は、盗難防止機能が付与された盗難防止用締結具、前記盗難防止用締結具と締結専用工具との組み合わせからなる盗難防止用締結具セット、及び前記盗難防止用締結具を緩解方向に回転操作するための緩解専用工具に関する。
【背景技術】
【０００２】
近年、カーナビゲーション、ナンバープレート、カーコンポーネントなどの自動車用部品や、面格子、自動販売機などの屋外に設置される各種設置物、或いは公園遊具や建造物の一部などを盗難する犯罪が多発している。
【０００３】
このような犯罪は、主に、自動車用部品や各種設置物などを固定するためのボルトやナットなどの締結具を取り外すことによって実行されていることから、係る締結具につき、種々の盗難防止機能が付与されたものが開発されている。
【０００４】
例えば、下記特許文献１には、外周面をレンチやスパナなどの一般工具では掴めない半球面や円錐台形面などの形状に形成すると共に、前記外周面に複数個の凹部を形成してなる防犯ナットが開示されている。
【０００５】
又、下記特許文献２には、ネジ頭（頭部）に形成されている四角穴、六角穴、十字穴、すり割りなどからなる凹部（操作穴）が、埋め込み材にて埋め得るようになされた防犯ネジが開示されている。
【先行技術文献】
【特許文献】
【０００６】
【特許文献１】特開２０００‐４６０２７号公報
【特許文献２】特開２００３‐９０３２２号公報。
【発明の概要】
【発明が解決しようとする課題】
【０００７】
前記特許文献１に記載の防犯ナットは、前記凹部に嵌合し得る専用工具を用いなければ回転操作することができないため、盗難犯罪を抑止する簡易的な手段として非常に有効である。
【０００８】
しかしながら、前記特許文献１に記載の防犯ナットは、前記専用工具さえ入手できれば回転操作することが可能となるため、前記専用工具を入手した者による盗難犯罪を抑止することはできない。
【０００９】
一方、前記特許文献２に記載の防犯ネジは、締結後に前記操作穴を前記埋め込み材によって埋める仕組みとなっていることから、締結後は、締結作業に用いた専用工具を用いても、前記防犯ネジを回転操作することができなくなる。これより、前記特許文献２に記載の防犯ネジは、盗難犯罪を確実に防止する手段として相当の評価を得ている。
【００１０】
但し、前記特許文献２に記載の防犯ネジは、締結後に、盗難目的以外の正当な理由、例えば、前記防犯ネジによって締結されていた自動車用部品等において交換等の必要が生じたとしても、容易に取り外すことができない。
【００１１】
本発明は、前記技術的課題に鑑みて完成されたものであり、盗難防止機能に加えて、必要に応じて容易に取り外しすることも可能となされた新規な盗難防止用締結具、前記盗難防止用締結具と締結専用工具との組み合わせからなる盗難防止用締結具セット、及び前記盗難防止用締結具を緩解方向に回転操作するための緩解専用工具を提供することを目的とする。
【課題を解決するための手段】
【００１２】
前記技術的課題を解決するために、本発明の盗難防止用締結具は、雄ネジが設けられた軸部と前記軸部の一端に存する頭部とからなるネジ本体と、前記頭部の回転中心に設けられた操作穴に埋め込まれる埋め込み材と、を具備してなり、締結作業時には、前記操作穴に嵌合可能な先端形状を有する締結専用工具にて、前記ネジ本体が締結方向に回転操作された後、前記操作穴が前記埋め込み材にて埋められ、もって、前記締結専用工具が前記操作穴に嵌合できない状態となされる盗難防止用締結具であって、締結作業後に、複数の爪部を備えた先端形状を有する緩解専用工具にて、緩解方向に回転操作することができるように、前記頭部における前記操作穴の周囲には、前記緩解専用工具における前記爪部が各々嵌合可能となされた複数の刻印が設けられてなることを特徴とする（以下、「本発明締結具」と称する。）。
【００１３】
本発明締結具においては、前記刻印の深さが、前記操作穴の深さより浅くなされたものが好ましい態様となる。
【００１４】
本発明締結具においては、前記刻印の深さが、０．５〜１ｍｍの深さとなされたものが好ましい態様となる。
【００１５】
本発明締結具においては、前記刻印の溝幅が、０．５〜１．５ｍｍの範囲内となされたものが好ましい態様となる。
【００１６】
本発明締結具においては、前記刻印のうちの少なくとも一部によって、文字が描かれてなるものが好ましい態様となる。
【００１７】
本発明締結具においては、前記操作穴が、三角穴、四角穴、又は六角穴のいずれかとなされたものが好ましい態様となる。
【００１８】
本発明の盗難防止用締結具セットは、前記本発明締結具と、前記締結専用工具との組み合わせからなることを特徴とする（以下、「本発明締結具セット」と称する。）。
【００１９】
本発明の緩解専用工具は、前記本発明締結具を緩解方向に回転操作するための緩解専用工具であって、前記本発明締結具の前記頭部に設けられた前記刻印に各々嵌合可能な複数の爪部を備えた先端形状を有してなることを特徴とする（以下、「本発明工具」と称する。）。
【発明の効果】
【００２０】
本発明によれば、盗難防止機能に加えて、必要に応じて容易に取り外しすることも可能となる。
【図面の簡単な説明】
【００２１】
【図１】図１（ａ）は、実施形態１に係る本発明締結具を示す斜視図であり、図１（ｂ）は、前記本発明締結具を部材に締結した状態を示す断面図である。
【図２】図２（ａ）、（ｂ）は、前記本発明締結具を部材に締結する様子を段階的に示す斜視図である。
【図３】図３は、実施形態１に係る本発明工具を示す斜視図である。
【図４】図４（ａ）、（ｂ）は、前記本発明工具を用いて前記本発明締結具を緩解する様子を示す斜視図と、断面図である。
【図５】図５（ａ）は、実施形態２に係る本発明締結具を示す斜視図であり、図５（ｂ）は、前記本発明締結具を部材に締結した状態を示す断面図である。
【図６】図６（ａ）、（ｂ）は、前記本発明締結具を部材に締結する様子を段階的に示す斜視図である。
【図７】図７は、実施形態２に係る本発明工具を示す斜視図である。
【図８】図８（ａ）、（ｂ）は、前記本発明工具を用いて前記本発明締結具を緩解する様子を示す斜視図と、断面図である。
【発明を実施するための形態】
【００２２】
以下、本発明の実施形態を図面に基づいて説明するが、本発明はこの実施形態に限定されるものではない。
【００２３】
＜実施形態１＞
［本発明締結具１］
図１に、本発明締結具１の一実施形態を示す。図１（ａ）に示す本発明締結具１は、ネジ本体２と、埋め込み材３と、を具備する。
【００２４】
前記ネジ本体２は、軸部２１と前記軸部２１の一端に存する頭部２２とからなり、前記軸部２１には雄ネジ部２１１が設けられている。
【００２５】
前記頭部２２は、底面部２２１と、前記底面部２２１の反対側面に存する上面部２２２と、前記底面部２２１から前記上面部２２２に向かって直径を漸減させる傾斜面状となされた周壁部２２３と、前記上面部２２２の中心に配された操作穴２２４と、前記操作穴２２４の周囲に配された複数の刻印２２５と、を具備する。
【００２６】
前記頭部２２における前記底面部２２１は円形の外縁を有してなる。前記底面部２２１は、例えば、前記本発明締結具１にて一の部材Ｐを他の部材Ｂに固定した際に、前記一の部材Ｐと対向する側の面となる（図１（ｂ）参照）。前記上面部２２２も円形の外縁を有してなり、前記底面部２２１と平行関係となされている。前記周壁部２２３の傾斜面によって、前記頭部２２は、その全体形状が略円錐台形状となされている。前記頭部２２に対し、前記軸部２１は、その軸心が前記底面部２２１及び前記上面部２２２の双方の中心を通り、もって、前記底面部２２１及び前記上面部２２２の双方に対し垂直となるように連結されている。
【００２７】
前記操作穴２２４は、六角穴であり、前記上面部２２２の中心（回転中心）に配されている。
【００２８】
前記刻印２２５は、前記上面部２２２において、前記操作穴２２４の周囲をプレス加工にて凹ませることによって描かれた複数の模様であり、その深さは、前記操作穴２２４の深さと比較して浅いものとなっている（図１（ｂ）参照）。本実施形態においては、前記刻印２２５として、四文字のアルファベットからなる文字刻印（深さ０．７ｍｍ、溝幅（文字の太さ）０．９ｍｍ）２２５Ａと、隣接するアルファベットの間に挟むようにして配されたドット模様のドット様刻印（深さ０．７ｍｍ、溝幅（直径）０．９ｍｍ）２２５Ｂと、の二種類が描かれている。
【００２９】
前記埋め込み材３は、軟鉄製の六角柱体であり、その底面は、正六角形となされた前記操作穴２２４の開口端と合同、若しくはほんの少し小さい正六角形となるように設定される。又、その高さは、前記操作穴３２４の深さより幾分（１．２〜１．５倍程度）高くなるように設定される。
【００３０】
［本発明締結具１の締結（締め付け）作業］
図２に、前記本発明締結具１の締結作業を示す。係る締結作業には、締結専用工具（本実施形態においては、六角レンチと称される角棒スパナの一種）５が用いられる。
【００３１】
図２（ａ）に示すように、前記本発明締結具１を用いて前記一の部材Ｐを前記他の部材Ｂに固定するにあたっては、まず、前記ネジ本体２と前記他の部材Ｂとの間に前記一の部材Ｐを介在させた状態にて、前記ネジ本体２を前記他の部材Ｂに締結する。前記ネジ本体２の締結は、前記締結専用工具５の一端を、前記頭部２２に存する前記操作穴２２４に嵌合させた上で、締結方向に回転操作することにより実行される。
【００３２】
その後、図２（ｂ）に示すように、前記操作穴２２４に前記埋め込み材３を挿入配置し、前記操作穴２２４の開口端から突出させた前記埋め込み材３の端部をハンマーなどの工具Ｈによって叩けば、前記操作穴２２４内において前記埋め込み材３が座屈した状態となり、もって、前記操作穴２２４に前記埋め込み材３が埋め込まれる。
【００３３】
なお、本発明締結具セットは、前記本発明締結具１と、前記締結専用工具５との組み合わせからなるものである。
【００３４】
［本発明締結具１の緩解（取り外し）作業］
図３に、前記本発明締結具１を緩解するための本発明工具１０を示す。前記本発明工具１０は、前記本発明締結具１を緩解方向に回転操作するための専用工具であり、前記本発明締結具１に設けられた前記刻印２２５に各々嵌合可能な複数の爪部１１を備えた先端形状を有する。
【００３５】
更に詳しくは、前記本発明工具１０は、円柱状の工具先端部１０１と、前記工具先端部１０１に連結された六角柱状の工具後端部１０２と、を具備してなる。
【００３６】
前記工具先端部１０１の一端面１０１１の中心には、陥没部１２が形成されてなり、前記陥没部１２の周囲に、前記爪部１１が設けられている。前記爪部１１は、前記本発明締結具１に設けられた前記刻印２２５の鏡像となる立体形状が付与されてなる突起であり、前記陥没部１２と共にレーザ加工にて形成されたものである。前記爪部１１の高さは、前記刻印２２５の深さに対し１〜２倍（より好ましくは、１．２〜１．５倍）とすることが好ましく、前記爪部１１の幅は、前記刻印２２５の溝幅の０．５〜１倍（より好ましくは、０．７〜０．９倍）とすることが好ましい。
【００３７】
前記工具後端部１０２は、前記工具先端部１０１の他端面１０１２に連結されており、前記工具後端部１０２の軸心は、前記工具先端部１０１の軸心と一致している。
【００３８】
図４（ａ）に示すように、前記埋め込み材３が前記操作穴２２４に埋め込まれた状態にて締結された本発明締結具１を緩解するにあたっては、前記本発明工具１０に設けられた前記爪部１１を、前記本発明締結具１に設けられた前記刻印２２５に接近させる。この際、前記本発明締結具１においては、前記上面部２２２の中心に存する前記操作穴２２４に埋め込まれた前記埋め込み材３の端部が、前記操作穴２２４の開口端から突出した状態となっているが、前記本発明工具１０における工具先端部１０１の一端面１０１１の中心に形成された陥没部１２によって、前記埋め込み材３の突出を避けて、前記爪部１１を前記刻印２２５に接近させることが可能となる。
【００３９】
そして、図４（ｂ）に示すように、前記爪部１１を前記刻印２２５に接近させ、互いに嵌合させた後、前記本発明工具１０を回転操作すれば、部材Ｐに対する前記本発明締結具１の締結が緩められる。この際、前記本発明工具１０における前記工具後端部１０２にスパナやラチェットドライバーなどを係合させれば、前記回転操作が容易となる。
【００４０】
前述の如く、前記本発明締結具１は、締結作業時には、前記操作穴２２４に前記締結専用工具５を嵌合して回転操作し、緩解作業時には、前記刻印２２５に前記本発明工具１０を嵌合して回転操作する。
【００４１】
前記締結専用工具５としては、角棒レンチやドライバーなどの一般的に流通されている工具が用いられたり、本発明締結具セットとして、前記本発明締結具１と組み合わされた状態にて流通に供された専用工具が用いられたりする。又、前記締結作業の最終段階において、前記操作穴２２４には前記埋め込み材３がハンマーなどの工具Ｈを用いて埋め込まれる。締結作業に必要とされるこれらの工具は入手が容易であり、又、これらの工具を用いた前記締結作業には、さほど特別な技術は必要とされない。これより、前記本発明締結具１は、非常に簡単な作業にて締結することができる。
【００４２】
そして、前記操作穴２２４に前記埋め込み材３が埋め込まれた後は、前記操作穴２２４に前記締結専用工具５を嵌合させることが不可能となり、もはや前記締結専用工具５を用いて前記本発明締結具１を取り外すことはできなくなる。又、本実施形態において、前記本発明締結具１は、前記頭部２２の全体形状が略円錐台形状となされていることから、ペンチなどの工具によって前記周壁部２２３を挟持しつつ、回転操作することも困難である。更に、前記埋め込み材３は、座屈した状態で前記操作穴２２４に埋め込まれていることから、前記埋め込み材３をペンチなどの工具で挟んで、前記操作穴２２４から取り出すことも困難である。
【００４３】
これより、前記埋め込み材３が前記操作穴２２４に埋め込まれた状態にて締結された本発明締結具１は、回転操作することが非常に困難なものとなり、その結果、盗難犯罪を防止する手段として非常に有効なものとなる。
【００４４】
一方、前記緩解作業時に用いられる前記本発明工具１０は、前記本発明締結具１に設けられた前記刻印２２５の形状に応じた前記爪部１１を備えた先端形状有する特別な工具であり、一般に流通されているものではない。前記本発明工具１０については、例えば、登録を受けた修理工場やディーラー、或いは、運輸支局などを専用工具管理者とし、正当な理由により前記本発明締結具１０を緩解する必要が生じた場合に、前記専用工具管理者が依頼を受けて緩解作業を行うシステムとすれば、前記本発明工具１０を用いた盗難犯罪の実行が事実上不可能となる。
【００４５】
なお、本実施形態では、前記本発明締結具１における前記刻印２２５の深さにつき、前記操作穴２２４の深さより浅くなされている。これは、前記刻印２２５に精密ドライバーなどの先端を突っ込んで、無理やり回転操作されることを防止するための措置である。但し、前記刻印２２５の深さが浅すぎると、前記刻印２２５に前記本発明工具１０を嵌合して回転操作する際に、前記本発明工具１０が滑って空回りし、緩解作業を煩雑なものとする場合もあることから、本発明締結具１においては、前記刻印２２５の深さにつき、０．５〜１．０ｍｍ（より好ましくは０．６〜０．８ｍｍ）とすることが好ましい。
【００４６】
同様の観点から、本発明締結具１においては、前記刻印２２５の溝幅につき、０．５〜１．５ｍｍ（より好ましくは、０．７〜１．０ｍｍ）の範囲内とすることが好ましい。
【００４７】
又、本実施形態では、前記本発明締結具１における前記刻印２２５につき、アルファベット文字を描く文字刻印２２５Ａと、ドット模様のドット様刻印２２５Ｂとの二種類が存在する。前記文字刻印２２５Ａによって、何らかの意味のある文言、例えば、会社名や商品名などが描かれていれば、これを見た一般人は、普通、係る文字刻印２２５Ａは単に会社名や商品名を表示しているだけであると考え、係る文字刻印２２５Ａが緩解の操作部分となる、との考えにはなかなか想到しない。これより、前記本発明工具１０における盗難防止機能が向上する。前記文字刻印２２５Ａによって描かれる文字としては、アルファベットに限定されるものではなく、平仮名、片仮名、漢字、或いはアルファベット以外の外国文字から適宜選択することができる。
【００４８】
なお、本実施形態では、前記文字刻印２２５Ａに加えて、隣接する文字刻印２２５Ａ間に挟むようにしてドット様刻印２２５Ｂが９０度の位相差を開けて描かれている。このドット様刻印２２５Ｂは、緩解作業時における前記本発明工具１０の前記爪部１１を嵌合させる際の支点となり、回転操作する際に、前記本発明工具１０の滑りが生じることを好適に防止する。このドット様刻印２２５Ｂは、一定の位相差（例えば、６０度、９０度、１２０度、１８０度）を設けて、複数配置することが好ましい。又、このドット様刻印２２５Ｂの周縁形状は、必ずしも円形となされる必要は無く、例えば、三角や四角、或いは星型やハートマークとなされてもよい。
【００４９】
更に、本実施形態では、前記本発明締結具１における前記操作穴２２４を六角穴としているが、前記操作穴２２４の形状としてはこれに限られず、三角穴や四角穴、或いは十字穴やすり割りなどとしても良いし、その他の特殊な形状としても良い。但し、一般的な工具による締結作業の容易な実施、及び前記埋め込み材３の確実な埋め込みの観点から、本発明においては、前記操作穴２２４につき、三角穴、四角穴、又は六角穴のいずれかとすることが好ましい。
【００５０】
＜実施形態２＞
［本発明締結具１］
図５に、本発明締結具１の一実施形態を示す。図５（ａ）に示す本発明締結具１は、ネジ本体２と、埋め込み材３と、座金４と、を具備する。
【００５１】
前記ネジ本体２における前記軸部２１には、雄ネジ部２１１が設けられており、前記軸部２１と連結されてなる前記頭部２２の周壁部２２３は、前記軸部２が連結されている部分から上面部２２２に向かって、直径を増加させる傾斜面状となされている。前記上面部２２２の中心(回転中心)には、六角穴となされた操作穴２２４が形成されており、前記操作穴３４の周囲には、複数の刻印２２５（文字刻印２２５Ａ、ドット様刻印２２５Ｂ）が形成されている。
【００５２】
前記埋め込み材３は、前記実施形態１において用いたものと同様のものである。
【００５３】
前記座金４は、円環形状を有してなり、その外周壁４１は、図中上部から下部に向かって直径を増加させる傾斜面状となされており、その内周壁４２は、図中上部から下部に向かって直径を漸減させる傾斜面状となされている。前記内周壁４２の傾斜角（テーパ角）は、前記ネジ本体における前記頭部２１の周壁部２２３の傾斜角（テーパ角）と同一となされている。
【００５４】
図５（ｂ）に示すように、前記本発明締結具１は、前記座金４を、前記頭部２２と前記部材Ｐとの間に介在させた状態にて締結される。即ち、前記本発明締結具１は、前記座金４を介在させた状態にて締結されて、前記ネジ本体２における前記頭部２１の周囲が前記座金４によって覆い隠されるように設計されたものである。そして、前記座金４の外周壁４１は、図中上部から下部に向かって直径を漸減させる傾斜面状となされていることから、前記本発明締結具１の締結後、ペンチなどの工具によって前記周壁部２２３を挟持しつつ、回転操作することは非常に困難である。
【００５５】
［本発明締結具１の締結（締め付け）作業］
図６に、前記本発明締結具１の締結作業を示す。前記本発明締結具１を用いて一の部材Ｐを他の部材Ｂに固定するにあたっては、まず、前記ネジ本体２の軸部２１に前記座金４に外嵌させ、六角レンチからなる前記締結専用工具５の一端を前記操作穴２２４に挿入させた上で、締結方向に回転操作する（図６（ａ）参照）。これにより、前記ネジ本体２が前記座金４を、前記頭部２２と前記部材Ｐとの間に介在させた状態にて締結される。その後、図６（ｂ）に示すように、前記操作穴２２４には、前記埋め込み材３が挿入配置され、前記操作穴２２４の開口端から突出した前記埋め込み材３の端部がハンマーなどの工具Ｈによって叩かれることにより、前記操作穴２２４内において前記埋め込み材３が座屈した状態となり、もって、前記操作穴２２４に前記埋め込み材３が埋め込まれる。
【００５６】
［本発明締結具１の緩解（取り外し）作業］
図７に、前記本発明締結具１を緩解するための本発明工具１０を示す。本実施形態における前記本発明工具１０は、工具先端部１０１の一端面１０１１の周縁部分を円環状に突出させてカラー部１０１３を設けた点のみにおいて、前記実施形態１において用いた本発明工具１０と異なり、その余は、前記実施形態１において用いた本発明工具１０と同様の構成となっている。
【００５７】
前記カラー部１０１３の内周面は、前記工具先端部１０１の前記一端面１０１１から先端に向かってその直径を増加させる傾斜面状となされている。又、前記カラー部１０１３の内周面の傾斜角（テーパ角）は、前記本発明締結具１における前記座金４の外周壁４１の傾斜角（テーパ角）と同一となされている。更に、前記工具先端部１０１の前記一端面１０１１の直径は、前記ネジ本体２の前記頭部２１における前記上面部２２２ｍの直径と統一となされている。
【００５８】
図８（ａ）に示すように、前記埋め込み材３が前記操作穴２２４に埋め込まれた状態にて締結された本発明締結具１を緩解するにあたっては、前記本発明工具１０に設けられた前記爪部１１を、前記本発明締結具１に設けられた前記刻印２２５に接近させ、互いに嵌合させる。この際、前記工具先端部１０１の一端面１０１１の周縁部分に形成させた円環状のカラー部１０１３を前記座金４の外周壁４１に外嵌させ、この状態にて、前記本発明工具１０を回転させれば、前記カラー部１０１３がガイドとなって、前記爪部１１と前記刻印２２５との嵌合が至極容易になる。
【００５９】
そして、前記爪部１１と前記刻印２２５とを互いに嵌合させた後、前記本発明工具１０を回転操作すれば、部材Ｐに対する前記本発明締結具１の締結が緩められる。この際、前記カラー部１０１３によって、回転操作中の前記本発明工具１０のずれが抑制される（図８（ｂ）参照）。
【００６０】
その余は、前記実施形態１において説明した事項と同様であり、繰り返しを避けるべく、ここでは説明を省略する。
【００６１】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【符号の説明】
【００６２】
１  本発明締結具（盗難防止用締結具）
２  ネジ本体
２１  軸部
２１１  雌ネジ部
２２  頭部
２２１  底面部
２２２  上面部
２２３  周壁部
２２４  操作穴
２２５  刻印
３  埋め込み部材
４  座金
４１  外周壁
４２  内周壁
５  締結専用工具
１０  本発明工具（緩解専用工具）
１０１  工具先端部
１０１１  一端面
１０１２  他端面
１０１３  カラー部
１０２  工具後端部
１１  爪部
１２  陥没部
【図１】
2014047814.tif 000003
【図２】
2014047814.tif 000004
【図３】
2014047814.tif 000005
【図４】
2014047814.tif 000006
【図５】
2014047814.tif 000007
【図６】
2014047814.tif 000008
【図７】
2014047814.tif 000009
【図８】
2014047814.tif 000010